(57)【要約】【課題】治療部位を支持するホルダの位置及び傾きを広い範囲で調整でき、簡便な操作で確実に固定することができる治療部位固定具を提供すること。【解決手段】治療部位固定具１０は、治療部位を支持するホルダ１、ホルダ１に固定されたジョイントボール２に先端が係止されるジョイントロッド５、ジョイントロッド５の基端を外側に通して、ジョイントボール２を回動可能に内側に保持するマルチスライダ３、ジョイントロッド５の基端を一側に通して、マルチスライダ３を少なくとも高さ方向に移動可能に他側に保持するラウンドピラー４、及びジョイントロッド５の基端をラウンドピラー４に対して一側に引くクランプ６を備える。【選択図】図１
2018042691.tif 000002
【特許請求の範囲】
【請求項１】
治療部位を支持台上に固定する治療部位固定具であって、
治療部位を支持するホルダと、
前記ホルダに固定されたジョイントボールに先端が係止されるジョイントロッドと、
前記ジョイントロッドの基端を外側に通して、前記ジョイントボールを回動可能に内側に保持するマルチスライダと、
前記ジョイントロッドの基端を一側に通して、前記マルチスライダを少なくとも高さ方向に移動可能に他側に保持するラウンドピラーと、
前記ジョイントロッドの基端を前記ラウンドピラーに対して前記一側に引くクランプと、
を備える
ことを特徴とする治療部位固定具。
【請求項２】
前記ジョイントロッドは、前記ジョイントボールに回動可能に係止されるインナーボールを先端に有し、
前記ジョイントボールは、内部に前記インナーボールを収容する空間部と、該空間部から外側に貫通する孔部とを有し、
前記ジョイントボールの前記孔部は、
前記空間部に接する一端において、前記インナーボールの外径より小さく、前記ジョイントロッドの直径より大きい内径を有し、
前記一端から他端に向けて拡幅して、前記ジョイントボールの前記ジョイントロッドに対する角度を可変とする遊びを形成する
ことを特徴とする、請求項１に記載の治療部位固定具。
【請求項３】
前記マルチスライダは、前記ジョイントボールの外面の少なくとも一部に当接する内面と、該内面から外側に貫通する孔部とを有し、
互いに当接する前記ジョイントボールの外面及び前記マルチスライダの内面は、球面であり、
前記マルチスライダの前記孔部は、
前記内面に接する一端において、前記ジョイントロッドの直径より大きい内径を有し、
前記一端から他端に向けて拡幅して、前記マルチスライダの前記ジョイントロッドに対する角度を可変とする遊びを形成する
ことを特徴とする、請求項２に記載の治療部位固定具。
【請求項４】
前記マルチスライダの前記孔部は、該孔部が貫通する方向に直交する２軸方向のうちの高さ方向に対して水平方向に大きい遊びを有することを特徴とする、請求項３に記載の治療部位固定具。
【請求項５】
水平方向について、前記ジョイントボールの前記孔部が形成する遊びは前記マルチスライダの前記孔部が形成する遊びよりも大きいことを特徴とする、請求項３又は４に記載の治療部位固定具。
【請求項６】
前記マルチスライダの外面は、少なくとも部分的に凸形状及び凹形状の一方であり、
前記ラウンドピラーは、前記他側に前記マルチスライダの外面に当接する凸形状及び凹形状の他方である摺動面と、前記ジョイントロッドの直径より大きい内径を有する孔部とを有し、
前記ラウンドピラーの前記摺動面及び前記孔部は、前記支持台に対する高さ方向に延びることを特徴とする、請求項３〜５のいずれか１項に記載の治療部位固定具。
【請求項７】
前記ラウンドピラーの前記孔部は、前記摺動面に接する一端から他端に向けて拡幅して、前記ラウンドピラーの前記ジョイントロッドに対する水平方向の角度を可変とする遊びを形成することを特徴とする、請求項６に記載の治療部位固定具。
【請求項８】
前記ラウンドピラーを支持台に固定するベースをさらに備えることを特徴とする、請求項１〜７のいずれか１項に記載の治療部位固定具。
【請求項９】
前記ホルダは、人体の頭部を支持することを特徴とする、請求項１〜８のいずれか１項に記載の治療部位固定具。
【発明の詳細な説明】
【技術分野】
【０００１】
本発明は、治療部位を支持台上に固定する治療部位固定具に関する。
【背景技術】
【０００２】
レントゲン撮影、外科手術等において、頭、腕、脚等の治療部位を固定する治療部位固定具が利用されることがある。例えば、特許文献１には、眼科検査や眼科治療において頭部を固定して、検査制度や治療制度、安全性を向上する頭部固定具が開示されている。
【０００３】
治療部位固定具において、通常、ホルダにより支持される治療部位の人体における回動中心、例えば治療部位である頭部に対してその回動中心である首は、ホルダの回動中心と異なる位置にあるため、患者の頸部に不必要に負担をかけないためには、例えば首と頭部とを結ぶ延長線上に位置を合わせ、かつ、頭部の角度に傾きを合わせてホルダを固定する必要がある。
【０００４】
従来の治療部位固定具は、例えば、治療台に垂直方向に立ち上がる第１の棒状部材が固定され、その棒状部材から水平方向に第２の棒状部材が伸び、その先端に治療部位を支持するホルダが回動可能に取り付けられていた。しかし、このような構成の治療部位固定具では、位置と傾きとを厳密には合わせられない場合もあった。
【０００５】
従来の治療部位固定具において、第２の棒状部材の第１の棒状部材に対する位置を可動とし、第２の棒状部材の先端にホルダを回動可能に取り付ければ、位置と傾きを合わせることは可能ではある。しかし、この場合には、ホルダを所望の位置・傾きに配した後に、その位置・傾きで固定することが容易でない。第２の棒状部材の第１の棒状部材に対する位置と、ホルダの第２の棒状部材に対する回動角とを、順次に固定することとなるが、このとき、一方を固定せずに他方を固定する操作が必要となる。その際、固定されていない一方が移動（回動）してしまい、所望の位置・傾きからずれてしまう。ホルダを固定するのに困難を要する。
【先行技術文献】
【特許文献】
【０００６】
【特許文献１】特開２００８−１０４７５４号公報
【発明の概要】
【発明が解決しようとする課題】
【０００７】
本発明は、治療部位を支持するホルダの位置及び傾きを広い範囲で調整でき、簡便な操作で確実に固定することができる治療部位固定具を提供することを課題とする。
【課題を解決するための手段】
【０００８】
本発明の治療部位固定具は、
治療部位を支持台上に固定する治療部位固定具であって、
治療部位を支持するホルダと、
前記ホルダに固定されたジョイントボールに先端が係止されるジョイントロッドと、
前記ジョイントロッドの基端を外側に通して、前記ジョイントボールを回動可能に内側に保持するマルチスライダと、
前記ジョイントロッドの基端を一側に通して、前記マルチスライダを少なくとも高さ方向に移動可能に他側に保持するラウンドピラーと、
前記ジョイントロッドの基端を前記ラウンドピラーに対して前記一側に引くクランプと、
を備える
ことを特徴とする。
【０００９】
この特徴によれば、マルチスライダにより、ホルダに固定されたジョイントボールに先端が係止されるジョイントロッドの基端を外側に通して、ジョイントボールを回動可能に内側に保持することで、治療部位を支持するホルダを回動可能に支持し、ラウンドピラーにより、ジョイントロッドの基端を一側に通して、マルチスライダを少なくとも高さ方向に移動可能に他側に保持する。この状態で、クランプにより、ジョイントロッドの基端をラウンドピラーに対して一側に引くことで、ジョイントロッドとマルチスライダとでジョイントボールを狭圧してその回動を固定するとともに、ジョイントボールとラウンドピラーとでマルチスライダを狭圧してその移動及び回動を固定する。すなわち、１の操作によりホルダの位置及び傾きを固定することができる。
【００１０】
本発明の治療部位固定具は、
前記ジョイントロッドは、前記ジョイントボールに回動可能に係止されるインナーボールを先端に有し、
前記ジョイントボールは、内部に前記インナーボールを収容する空間部と、該空間部から外側に貫通する孔部とを有し、
前記ジョイントボールの前記孔部は、
前記空間部に接する一端において、前記インナーボールの外径より小さく、前記ジョイントロッドの直径より大きい内径を有し、
前記一端から他端に向けて拡幅して、前記ジョイントボールの前記ジョイントロッドに対する角度を可変とする遊びを形成する
ことを特徴とする。
【００１１】
この特徴によれば、ジョイントロッドが孔部を貫通してジョイントボール内に到達する。また、ジョイントロッドの基端を引いた際にインナーボールが孔部に貫入せずにジョイントボールをマルチスライダに狭圧する。
【００１２】
さらに、ジョイントボールは、遊びの分だけジョイントロッドに対して回動することができる。すなわち、ジョイントロッドに対するジョイントボールの回動は、遊びの範囲内ではジョイントロッドによって妨げられることがない。マルチスライダに対するジョイントボールの回動も、ジョイントロッドによって妨げられない範囲を有する。
【００１３】
本発明の治療部位固定具は、
前記マルチスライダは、前記ジョイントボールの外面の少なくとも一部に当接する内面と、該内面から外側に貫通する孔部とを有し、
互いに当接する前記ジョイントボールの外面及び前記マルチスライダの内面は、球面であり、
前記マルチスライダの前記孔部は、
前記内面に接する一端において、前記ジョイントロッドの直径より大きい内径を有し、
前記一端から他端に向けて拡幅して、前記マルチスライダの前記ジョイントロッドに対する角度を可変とする遊びを形成する
ことを特徴とする。
【００１４】
この特徴によれば、ジョイントロッドがマルチスライダの孔部を貫通してジョイントボールに到達する。また、ジョイントボールがその外面をマルチスライダの内面に当接しつつ回動することができる。
【００１５】
さらに、マルチスライダは、遊びの分だけジョイントロッドに対して回動することができる。すなわち、ジョイントロッドに対するマルチスライダの回動は、遊びの範囲内ではジョイントロッドによって妨げられることがない。ラウンドピラーに対するマルチスライダの回動も、ジョイントロッドによって妨げられない範囲を有する。
【００１６】
本発明の治療部位固定具は、
前記マルチスライダの前記孔部は、該孔部が貫通する方向に直交する２軸方向のうちの高さ方向に対して水平方向に大きい遊びを有することを特徴とする。
【００１７】
この特徴によれば、マルチスライダは、高さ方向よりも水平方向に大きく回動することができる。マルチスライダは、高さ方向はラウンドピラーに対して摺動面に沿って移動可能であるが、水平方向はあまり移動しないので、回動によってジョイントボールに当接する内面の位置を調整するためのものである。
【００１８】
本発明の治療部位固定具は、
水平方向について、前記ジョイントボールの前記孔部が形成する遊びは前記マルチスライダの前記孔部が形成する遊びよりも大きいことを特徴とする。
【００１９】
この特徴によれば、ジョイントロッドに対して、ジョイントボールを、マルチスライダよりも大きく回動させることができる。
【００２０】
本発明の治療部位固定具は、
前記マルチスライダの外面は、少なくとも部分的に凸形状及び凹形状の一方であり、
前記ラウンドピラーは、前記他側に前記マルチスライダの外面に当接する凸形状及び凹形状の他方である摺動面と、前記ジョイントロッドの直径より大きい内径を有する孔部とを有し、
前記ラウンドピラーの前記摺動面及び前記孔部は、前記支持台に対する高さ方向に延びることを特徴とする。
【００２１】
この特徴によれば、マルチスライダがその外面をラウンドピラーの摺動面に当接しつつ高さ方向に移動することができ、また、回動することができる。
【００２２】
本発明の治療部位固定具は、
前記ラウンドピラーの前記孔部は、前記摺動面に接する一端から他端に向けて拡幅して、前記ラウンドピラーの前記ジョイントロッドに対する水平方向の角度を可変とする遊びを形成することを特徴とする。
【００２３】
この特徴によれば、ジョイントロッドは、遊びの分だけラウンドピラーに対して回動することができる。すなわち、ラウンドピラーに対するジョイントロッドの回動は、所定の遊びの範囲内ではラウンドピラーによって妨げられることがない。これにより、マルチスライダの水平面内での向きを調整することができる。
【００２４】
本発明の治療部位固定具は、
前記ラウンドピラーを支持台に固定するベースをさらに備えることを特徴とする。
【００２５】
この特徴によれば、ベースにより、ラウンドピラーを支持台に固定することで、治療部位を支持するホルダを支持台上に固定することができる。
【００２６】
本発明の治療部位固定具は、
前記ホルダは、人体の頭部を支持することを特徴とする。
【００２７】
この特徴によれば、特にＸ線を用いた施術の際に位置を固定したい人体の頭部を支持することができる。
【発明の効果】
【００２８】
本発明の治療部位固定具によれば、治療部位を支持するホルダの位置及び傾斜を簡便な操作で確実に固定することができる。
【図面の簡単な説明】
【００２９】
【図１】図１は、治療部位固定具の構成を示す斜視図である。
【図２】図２は、治療部位固定具の構成を示す断面図である。
【図３】図３は、ホルダを固定する原理を説明するための断面図である。
【図４】図４は、ホルダを回動する原理を説明するための断面図（その１）である。
【図５】図５は、ホルダを回動する原理を説明するための断面図（その２）である。
【発明を実施するための形態】
【００３０】
以下、本発明の一実施例について説明する。
【００３１】
図１及び図２に、本実施例に係る治療部位固定具１０の構成を示す。ここで、図１は、斜視方向から治療部位固定具１０の全体構成を示し、図２は、側面方向から治療部位固定具１０の断面構成を示す。治療部位固定具１０は、治療部位を支持台上に固定する器具であり、ホルダ１、ジョイントボール２、マルチスライダ３、ラウンドピラー４、ジョイントロッド５、クランプ６、及びベース７を含んで構成される。なお、ホルダ１等がＸ軸周りに回動することを傾動、Ｙ軸周りに回動することを回転、Ｚ軸周りに回動することを偏向と呼ぶ。
【００３２】
ホルダ１は、治療部位、例えば人体の頭部を支持する部材であり、ヘッドホルダ１ａ、ホルダベース１ｂ、及びホルダジョイント１ｃを有する。ヘッドホルダ１ａは、正面視（−Ｙ方向に視て）においてＵ字状に湾曲する板状部材であり、その上面に治療部位が支持される。ホルダベース１ｂは、弓形の板状部材であり、その弧にてヘッドホルダ１ａの基端に固定されてこれを支持する。ホルダジョイント１ｃは、一面をホルダベース１ｂに接続し、他面を後述するジョイントボール２の空間部２ａの開口端に接続する板状部材である。ホルダベース１ｂ及びホルダジョイント１ｃを介して、ヘッドホルダ１ａ（ホルダ１）がジョイントボール２に固定される。
【００３３】
ジョイントボール２は、後述するマルチスライダ３に回動可能に保持されて、これを起点にホルダ１を傾動、回転及び偏向させる部材である。ジョイントボール２は、球の一部を欠いた球冠形状を有し、＋Ｙ側を向くその頂部から内部に凹む空間部２ａ及びこの空間部２ａから外側（ここでは−Ｙ側）に貫通する孔部２ｂが形成されている。
【００３４】
空間部２ａには、ジョイントロッド５のインナーボール５ａが収容される。ここで、空間部２ａを囲むジョイントボール２の内面は＋Ｙ側でインナーボール５ａの直径に等しい又は若干大きい内径を有し、−Ｙ側で内径を狭め、特に−Ｙ端は球面をなしている。
【００３５】
孔部２ｂは、＋Ｙ端において、インナーボール５ａの外径より小さく、ジョイントロッド５の軸体５ｂの直径より大きい内径を有する。それにより、ジョイントロッド５の軸体５ｂの基端を孔部２ｂに通して、先端に有するインナーボール５ａを内部の空間部２ａに収容することで、ジョイントロッド５がジョイントボール２から離脱しない。
【００３６】
孔部２ｂは、また、−Ｙ方向に拡幅してジョイントロッド５との間に遊びを形成している。それにより、ジョイントボール２は、遊びの分だけジョイントロッド５に対して回動することができる。すなわち、マルチスライダ３に対するジョイントボール２の回動は、遊びによって、一定の範囲でジョイントロッド５によって妨げられることがないようにすることができる。
【００３７】
マルチスライダ３は、ジョイントボール２をその内側に回動可能に保持するとともに、Ｚ軸方向に昇降する部材であり、内側に窪む内面３ａ、内面３ａから外側（ここでは−Ｙ側）に貫通する孔部３ｂ、球面状又は円筒面状の外面を有する皿形状を有する。
【００３８】
マルチスライダ３は、ジョイントボール２の孔部２ｂに通されたジョイントロッド５の軸体５ｂの基端を孔部３ｂに通す。また、ジョイントボール２の外面の少なくとも一部（ここでは主に−Ｙ側の外面）を内面３ａに当接し、互いに当接するジョイントボール２の外面及びマルチスライダ３の内面３ａが球面であることで、ジョイントボール２がその外面をマルチスライダ３の内面３ａに当接しつつ回動することができる。
【００３９】
孔部３ｂは、＋Ｙ端において、ジョイントロッド５の軸体５ｂの直径より大きい内径を有する。また、−Ｙ方向に拡幅してジョイントロッド５との間に遊びを形成している。それにより、マルチスライダ３は、遊びの分だけジョイントロッド５に対して回動することができる。すなわち、ラウンドピラー４に対するマルチスライダ３の回動は、遊びによって、一定の範囲でジョイントロッド５によって妨げられることがないようにすることができる。
【００４０】
孔部３ｂは、また、Ｚ軸方向に対してＸ軸方向に大きい遊びを有する。それにより、マルチスライダ３は、高さ方向よりも水平方向に大きく回動することができる。高さ方向についてはラウンドピラー４に沿って移動可能であり回動させる必要性が小さいため、水平方向の回動を保ちつつ孔部を小さくしてマルチスライダ３を安定させるものである。
【００４１】
ラウンドピラー４は、ジョイントロッド５の軸体５ｂの基端を一側（ここでは−Ｙ側）に通して、マルチスライダ３を少なくともＺ軸方向に移動可能に他側（ここでは＋Ｙ側）に保持する部材であり、＋Ｙ側に上面視円弧状の凹面（すなわち、摺動面４ａ）及び−Ｙ側に上面視円弧状の凸面を有し、中央にジョイントロッド５の軸体５ｂの基端を通す孔部４ｂが形成された板状部材である。ここで、ラウンドピラー４の摺動面４ａは、マルチスライダ３の外面が球面状又は円筒面状の凸形状を有するのに対応して、これを受けるのに好適な円筒面状の凹面を含む。これにより、マルチスライダ３がその外面をラウンドピラー４の摺動面４ａに当接しつつ回動することができる。なお、ラウンドピラー４の摺動面４ａは、マルチスライダ３の外面が球面状又は円筒面状の凹形状を有する場合に、これを受けるのに好適な円筒面状の凸面を含むこととしてもよい。
【００４２】
孔部４ｂは、＋Ｙ端において、ジョイントロッド５の軸体５ｂの直径より内幅を有する。それにより、ジョイントロッド５がラウンドピラー４の孔部４ｂ内をＺ軸方向に移動（すなわち、昇降）することができ、これに伴いマルチスライダ３も昇降することができる。
【００４３】
孔部３ｂは、また、−Ｙ方向に拡幅してジョイントロッド５との間に遊びを形成している。それにより、ジョイントロッド５は、遊びの分だけジョイントロッド５に対して回動することができる。すなわち、ラウンドピラー４に対するジョイントロッド５の回動は、遊びの範囲内ではジョイントロッド５によって妨げられることがない。これにより、マルチスライダ３の方向（ジョイントロッド５の長手方向）が調整できる。
【００４４】
ジョイントロッド５は、ホルダ１、ジョイントボール２及びマルチスライダ３を固定する部材であり、インナーボール５ａ及び軸体５ｂを有する。インナーボール５ａは、球状の部材であり、ジョイントボール２の空間部２ａ内に回動可能に収容される。軸体５ｂは、円形断面を有する棒状部材であり、その先端がインナーボール５ａに固定されている。
【００４５】
クランプ６は、ジョイントロッド５の軸体５ｂの基端をラウンドピラー４に対して一側（ここでは−Ｙ側）に引く部材である。これにより、ホルダ１、ジョイントボール２、及びマルチスライダ３をラウンドピラー４に固定することができる。クランプ６は、ラウンドピラー４の−Ｙ側に、ピラースライダ６ａを介してジョイントロッド５の軸体５ｂの基端に固定されている。クランプ６をＹ軸周りに回動することで、ジョイントロッド５を−Ｙ方向に引くことができる。また、−Ｙ方向への引く力を弱めることもできる。
【００４６】
ベース７は、ラウンドピラー４を支持台（不図示）に固定する部材であり、本体７ａ、アンダーベース７ｂ、アンダーアーム７ｃ、ノブ７ｄ、及び狭圧プレート７ｅを有する。
本体７ａは、ラウンドピラー４の下端に固定され、底面７ａ０及び７ａ１を支持台の上面に当接してラウンドピラー４を支持台上に支持する部材である。アンダーベース７ｂは、本体７ａの−Ｙ端から−Ｚ側に延びる部材である。アンダーアーム７ｃは、アンダーベース７ｂのシャフト７ｂ０を軸に回動するアーム状部材である。ノブ７ｄは、本体７ａ及びアンダーベース７ｂをＺ軸方向に貫通する貫通孔に螺入して、その先端を−Ｚ方向に繰り出すことでアンダーアーム７ｃの−Ｙ端を−Ｚ方向に押すボルト状部材である。狭圧プレート７ｅは、支持台の底面に当接する狭圧面７ｅ０を有し、アンダーアーム７ｃのシャフト７ｃ０で回動可能に固定される狭圧部材である。
【００４７】
上述の構成のベース７は、支持台の縁を本体７ａとアンダーアーム７ｃの間に挿入し、本体７ａの底面７ａ０及び７ａ１を支持台の上面に当接し、ノブ７ｄを回動して先端を−Ｚ方向に繰り出すことでアンダーアーム７ｃを介して狭圧プレート７ｅを＋Ｚ方向に駆動し、その狭圧面７ｅ０を支持台の底面に当接し、本体７ａと狭圧プレート７ｅとで支持台を狭圧することで、支持台に固定される。それにより、ラウンドピラー４等を介して治療部位を支持するホルダ１が支持台上に固定される。
【００４８】
以上、治療部位固定具の構成を説明した。以下、ホルダ１を固定及び回動するメカニズムについて説明する。
【００４９】
図３に、ホルダ１を固定するメカニズムの断面構成を示す。図は、水平方向の断面図（ＸＹ面）である。
【００５０】
ジョイントロッド５は、先端のインナーボール５ａがジョイントボール２の空間部２ａ内にあり、ジョイントボールの孔部２ｂ、マルチスライダ３の孔部３ｂ及びラウンドピラー４の孔部４ｂを貫通して、基端がクランプ６につながっている。
【００５１】
ここでクランプ６を回動してジョイントロッド５の基端をラウンドピラー４に対して−Ｙ側に引くと、インナーボール５ａが−Ｙ側に引かれる。ジョイントボール２が−Ｙ側に引かれ、マルチスライダ３が−Ｙ側に移動したジョイントボール２と移動しないラウンドピラー４とに狭圧される。また、ジョイントボール２は、インナーボール５ａとマルチスライダ３とに狭圧される。以上により、ジョイントボール２及びマルチスライダ３とが狭圧され、ラウンドピラー４に対する位置及び傾きが固定される。ジョイントボール２と結合しているホルダ１も固定される。すなわち、クランプ６を回動する１の操作によりホルダ１の傾動、回転及び偏向、及び昇降を固定することができる。
【００５２】
図４及び図５に、ホルダ１を回動するメカニズムの断面構成を示す。図は、図３と同様に水平方向の断面図（ＸＹ面）である。ラウンドピラー４がベース７によって固定されているため、図３、４、５においてラウンドピラー４の位置を同一にして示す。
【００５３】
図３において、クランプ６を緩め、ジョイントロッド５によるジョイントボール２及びマルチスライダ３の固定がなされていない状態から開始するものとし、ジョイントボール２を図面上方に移動し、図面右向き（図面時計回り）に偏向するものとする。
【００５４】
図４に示すように、孔部４ｂによる遊びを利用して、ジョイントロッド５の長手方向をＹ軸に対して回動（偏向）させることができる。また、孔部３ｂによる遊びを利用して、マルチスライダ３をジョイントロッド５に対して回動（偏向）させることができる。これにより、ジョイントボール２（マルチスライダ３の外面）を図面上方に移動させることができる。図面下方にも移動させることが可能である。マルチスライダ３がラウンドピラー４に対して移動、回動可能であり、ジョイントボール２の位置を調整できる範囲が広くなる。なお、水平方向の断面図により、回動が偏向である場合について説明したが、傾斜、回転でも同様である。（ただし、マルチスライダ３を高さ方向に移動させることができるので、傾斜はあまり必要ではない。）
【００５５】
次に、図５に示すように、孔部２ｂによる遊びを利用して、ジョイントボール２をマルチスライダ３に対して回動（偏向）させることができる。なお、水平方向の断面図により、回動が偏向である場合について説明したが、傾斜、回転でも同様である。図５の状態では、ホルダ１の位置及び向きが所望のとおりに調整されている。
【００５６】
ここで、孔部２ｂによる遊びは、孔部３ｂによる遊びよりも大きいことが好ましい。孔部２ｂによる遊びは、ジョイントボール２のマルチスライダ３に対する回動可能量でなく、ジョイントロッド５に対する回動可能量である。すなわち、マルチスライダ３がジョイントロッド５に対して回動した方向には、ジョイントボール２のマルチスライダ３に対する回動可能量がマルチスライダ３の回動分だけ孔部２ｂによる遊びよりも小さくなる。孔部２ｂによる遊びを孔部３ｂによる遊びよりも大きく（可能ならば十分に大きく）し、ジョイントボール２のマルチスライダ３に対する回動可能量を保つことが好ましい。
【００５７】
ホルダ１の位置及び傾き図５のように調整した状態においても、クランプ６を回動してジョイントロッド５の基端をラウンドピラー４に対して−Ｙ側に引くことで、ジョイントボール２及びマルチスライダ３とが狭圧され、ラウンドピラー４に対する位置及び傾斜が固定される。クランプ６を回動する１の操作によりホルダ１の位置及び傾きを固定することができる。
【００５８】
以上詳細に説明したように、本実施例の治療部位固定具１０によれば、マルチスライダ３を利用してラウンドピラー４に対するジョイントボール２（ホルダ１）の位置を広い範囲で容易に調整することができる。また、ホルダ１の傾きも調整することができる。調整した状態において、ジョイントロッド５を利用してホルダ１の位置及び傾きを簡便な操作で確実に固定することができる
【産業上の利用可能性】
【００５９】
治療部位を支持するホルダの位置及び傾きを広い範囲で調整でき、簡便な操作で確実に固定することができる治療部位固定具である。多くの医療機関における利用が期待される。
【符号の説明】
【００６０】
１      ホルダ
１ａ    ヘッドホルダ
１ｂ    ホルダベース
１ｃ    ホルダジョイント
２      ジョイントボール
２ａ    空間部
２ｂ    孔部
３      マルチスライダ
３ａ    内面
３ｂ    孔部
４      ラウンドピラー
４ａ    摺動面
４ｂ    孔部
５      ジョイントロッド
５ａ    インナーボール
５ｂ    軸体
６      クランプ
６ａ    ピラースライダ
７      ベース
７ａ    本体
７ａ０  底面
７ｂ    アンダーベース
７ｂ０  シャフト
７ｃ    アンダーアーム
７ｃ０  シャフト
７ｄ    ノブ
７ｅ    狭圧プレート
７ｅ０  狭圧面
１０    治療部位固定具
【図１】
2018042691.tif 000003
【図２】
2018042691.tif 000004
【図３】
2018042691.tif 000005
【図４】
2018042691.tif 000006
【図５】
2018042691.tif 000007
【手続補正書】
【提出日】平成29年5月17日(2017.5.17)
【手続補正１】
【補正対象書類名】特許請求の範囲
【補正対象項目名】全文
【補正方法】変更
【補正の内容】
【特許請求の範囲】
【請求項１】
治療部位を支持台上に固定する治療部位固定具であって、
治療部位を支持するホルダと、
前記ホルダに固定されたジョイントボールに先端が係止されるジョイントロッドと、
前記ジョイントロッドの基端を外側に通して、前記ジョイントボールを回動可能に内側に保持するマルチスライダと、
前記ジョイントロッドの基端を一側に通して、前記マルチスライダを少なくとも高さ方向に移動可能に他側に保持するラウンドピラーと、
前記ジョイントロッドの基端を前記ラウンドピラーに対して前記一側に引くクランプと、
を備え、
前記ジョイントロッドは、前記ジョイントボールに回動可能に係止されるインナーボールを先端に有し、
前記ジョイントボールは、内部に前記インナーボールを収容する空間部と、該空間部から外側に貫通する孔部とを有し、
前記ジョイントボールの前記孔部は、
前記空間部に接する一端において、前記インナーボールの外径より小さく、前記ジョイントロッドの直径より大きい内径を有し、
前記一端から他端に向けて拡幅して、前記ジョイントボールの前記ジョイントロッドに対する角度を可変とする遊びを形成する
ことを特徴とする、治療部位固定具。
【請求項２】
前記マルチスライダは、前記ジョイントボールの外面の少なくとも一部に当接する内面と、該内面から外側に貫通する孔部とを有し、
互いに当接する前記ジョイントボールの外面及び前記マルチスライダの内面は、球面であり、
前記マルチスライダの前記孔部は、
前記内面に接する一端において、前記ジョイントロッドの直径より大きい内径を有し、
前記一端から他端に向けて拡幅して、前記マルチスライダの前記ジョイントロッドに対する角度を可変とする遊びを形成する
ことを特徴とする、請求項１に記載の治療部位固定具。
【請求項３】
前記マルチスライダの前記孔部は、該孔部が貫通する方向に直交する２軸方向のうちの高さ方向に対して水平方向に大きい遊びを有することを特徴とする、請求項２に記載の治療部位固定具。
【請求項４】
水平方向について、前記ジョイントボールの前記孔部が形成する遊びは前記マルチスライダの前記孔部が形成する遊びよりも大きいことを特徴とする、請求項２又は３に記載の治療部位固定具。
【請求項５】
前記マルチスライダの外面は、少なくとも部分的に凸形状及び凹形状の一方であり、
前記ラウンドピラーは、前記他側に前記マルチスライダの外面に当接する凸形状及び凹形状の他方である摺動面と、前記ジョイントロッドの直径より大きい内径を有する孔部とを有し、
前記ラウンドピラーの前記摺動面及び前記孔部は、前記支持台に対する高さ方向に延びることを特徴とする、請求項２〜４のいずれか１項に記載の治療部位固定具。
【請求項６】
前記ラウンドピラーの前記孔部は、前記摺動面に接する一端から他端に向けて拡幅して、前記ラウンドピラーの前記ジョイントロッドに対する水平方向の角度を可変とする遊びを形成することを特徴とする、請求項５に記載の治療部位固定具。
【請求項７】
前記ラウンドピラーを支持台に固定するベースをさらに備えることを特徴とする、請求項１〜６のいずれか１項に記載の治療部位固定具。
【請求項８】
前記ホルダは、人体の頭部を支持することを特徴とする、請求項１〜７のいずれか１項に記載の治療部位固定具。